(57)【要約】【課題】供給される電力に応じた制御信号を生成することが可能な検出回路を提供すること。【解決手段】補正電流発生回路４９は、電流検出信号Ｓ１に基づいて、ＡＣアダプタ２１から供給される電流に比例する補正電流Ｉh を発生させる。その補正電流Ｉh は補正用抵抗Ｒ３に供給される。これにより、補正電流発生回路４９と補正用抵抗Ｒ３との間のノードに、ケーブルＷ１の寄生抵抗によりオフセットされるグランドレベルと略等しい補正電圧Ｖh を発生させる。演算回路４８は、パワー情報電圧Ｖpwに補正電圧Ｖh を加算して生成した補正情報電圧Ｖphを電力制限信号ＰＷＲＭとしてエラー増幅器４７に出力する。つまり、演算回路４８は、オフセットによって小さな電力情報を示すパワー情報電圧Ｖpwに補正電圧Ｖh を加算し、補正した電力制限信号ＰＷＲＭを生成する。その結果、パルス幅変調器２４が出力する電力情報に相当する電力制限信号ＰＷＲＭを生成する。【選択図】図２
2008206226.tif 000002
【特許請求の範囲】
【請求項１】
制御信号に基づいて生成した直流の出力電圧と供給する電力量に応じた電力情報を出力する外部電源にケーブルを介して接続された電子機器に設けられ、前記電力情報と、前記外部電源の出力電圧が供給される経路上に設けられた抵抗の端子間電圧及び端子電圧から検出した総電力量とに基づいて前記制御信号を生成する検出回路であって、
前記ケーブルの寄生抵抗に応じた補正電圧を発生する補正電圧発生手段と、
前記電力情報と前記補正電圧とに基づいて補正電力情報を生成する情報生成手段と、
前記外部電源の出力電圧が供給される経路上に設けられた抵抗の端子間電圧及び端子電圧に基づいて該電子機器における総電力量に応じた電力検出信号を生成する検出信号生成手段と、
前記電力検出信号と前記補正電力情報に基づいて前記制御信号を生成する制御信号生成手段と、を備えた、
ことを特徴とする検出回路。
【請求項２】
前記補正電圧発生手段は、
前記抵抗に流れる入力電流に比例する補正電流を発生する補正電流発生回路と、
前記ケーブルの寄生抵抗に比例した抵抗値を有し、前記補正電流により前記補正電圧を発生する抵抗素子と、を備え、
前記情報生成手段は、前記電力情報に前記補正電圧を加算して前記補正電力情報を生成する、
ことを特徴とする請求項１記載の検出回路。
【請求項３】
前記抵抗の端子間電圧に基づいて該抵抗に流れる電流量に応じた電流検出信号を生成する電流増幅器を備え、
前記信号生成手段は、前記電力検出信号又は前記電流検出信号に基づいて前記制御信号を生成し、
前記補正電流発生回路は、前記電流検出信号に基づいて前記補正電流を生成する、
ことを特徴とする請求項２記載の検出回路。
【請求項４】
前記抵抗の端子間電圧に基づいて該抵抗に流れる電流量に応じた電流検出信号を生成する電流増幅器を備え、
前記信号生成手段は、前記電力検出信号又は前記電流検出信号に基づいて前記制御信号を生成し、
前記補正電圧発生手段は、前記電流検出信号に基づいて前記補正電圧を生成し、
前記情報生成手段は、前記電力情報に前記補正電圧を加算して前記補正電力情報を生成する、
ことを特徴とする請求項１記載の検出回路。
【請求項５】
直流の出力電圧を生成する外部電源と、ケーブルを介して供給される前記外部電源の出力電圧に基づいて動作する電子機器とからなる電源システムにおいて、
前記外部電源は、直流の出力電圧を生成するとともに制御信号に応じて前記出力電圧を変更し、出力電力に応じた電力情報を前記ケーブルを介して前記電子機器に出力する電圧制御回路を備え、
前記電子機器は、前記外部電源の出力電圧が供給される経路上に設けられた抵抗の端子間電圧及び端子電圧に基づいて該電子機器における総電力量を検出し、該総電力量に基づいて前記制御信号を生成する検出回路を備え、
前記検出回路は、
前記ケーブルの寄生抵抗に応じた補正電圧を発生する補正電圧発生手段と、
前記電力情報と前記補正電圧とに基づいて補正電力情報を生成する情報生成手段と、
前記外部電源の出力電圧が供給される経路上に設けられた抵抗の端子間電圧及び端子電圧に基づいて該電子機器における総電力量に応じた電力検出信号を生成する検出信号生成手段と、
前記電力検出信号と前記補正電力情報とに基づいて前記制御信号を生成する制御信号生成手段と、を備えた、
ことを特徴とする電源システム。
【請求項６】
前記補正電圧発生手段は、
前記抵抗に流れる入力電流に比例する補正電流を発生する補正電流発生回路と、
前記ケーブルの寄生抵抗に比例した抵抗値を有し、前記補正電流により前記補正電圧を発生する抵抗素子と、を備え、
前記情報生成手段は、前記電力情報に前記補正電圧を加算して前記補正電力情報を生成する、
ことを特徴とする請求項５記載の電源システム。
【請求項７】
前記抵抗の端子間電圧に基づいて該抵抗に流れる電流量に応じた電流検出信号を生成する電流増幅器を備え、
前記信号生成手段は、前記電力検出信号又は前記電流検出信号に基づいて前記制御信号を生成し、
前記補正電流発生回路は、前記電流検出信号に基づいて前記補正電流を生成する、
ことを特徴とする請求項６記載の電源システム。
【請求項８】
前記抵抗の端子間電圧に基づいて該抵抗に流れる電流量に応じた電流検出信号を生成する電流増幅器を備え、
前記信号生成手段は、前記電力検出信号又は前記電流検出信号に基づいて前記制御信号を生成し、
前記補正電圧発生手段は、前記電流検出信号に基づいて前記補正電圧を生成し、
前記情報生成手段は、前記電力情報に前記補正電圧を加算して前記補正電力情報を生成する、
ことを特徴とする請求項５記載の電源システム。
【発明の詳細な説明】
【技術分野】
【０００１】
本発明は、検出回路及び電源システムに関するものである。
【背景技術】
【０００２】
従来、電子機器には駆動電源として二次電池が搭載されているものがあり、このような電子機器には、外部電力源から供給される充電電流により二次電池を充電する充電回路が備えられている（例えば、特許文献１参照）。充電回路の動作例を図３に従って説明する。
【０００３】
電子機器に搭載された充電回路１１には、該電子機器に接続された入力電力アダプタ１２から直流のアダプタ電圧ＶACが供給されている。充電回路１１はＤＣ／ＤＣコンバータであり、アダプタ電圧ＶACを電圧変換した電圧Ｖout を出力するとともに、出力電流Ｉout 等に基づいて、電圧Ｖout を制御する。詳しくは、充電回路１１は、出力電流Ｉout を検出するための抵抗Ｒ１の両端が接続された電流増幅器１３ａと、バッテリＢＴに供給する電流Ｉchg を検出するための抵抗Ｒ２の両端が接続された電流増幅器１３ｂとを備えている。各電流増幅器１３ａ，１３ｂの出力端子はそれぞれエラー増幅器１４ａ，１４ｂに接続されている。また、バッテリＢＴの端子電圧はエラー増幅器１４ｃに入力され、抵抗Ｒ１の両端子電圧は入力電力アダプタ１２から供給される電力を検出する乗算器１５に入力され、その乗算器１５はエラー増幅器１４ｄに接続されている。乗算器１５は、抵抗Ｒ１に流れる電流、抵抗Ｒ１の端子電圧に基づいて総電力量に比例した電圧の信号を出力する。そして、抵抗Ｒ１に流れる出力電流Ｉout と、バッテリＢＴに接続された抵抗Ｒ２に流れる充電電流Ｉchg と、バッテリＢＴの端子電圧と、総電力量とに基づいて、エラー増幅器１４ａ〜１４ｄにより制御電流Ｉscが流れ、その制御電流Ｉscに基づいてパルス幅変調器（ＰＷＭ）１７はＭＯＳトランジスタＴ１，Ｔ２をオンオフするデューティサイクルを変更する。そのデューティサイクルに応じた出力電力がシステムＤＣ／ＤＣコンバータ１８を介してシステム回路１９に供給され、かつ、同時に、出力電流によりバッテリＢＴが充電される。
【特許文献１】特許第３４２８９５５号公報
【発明の開示】
【発明が解決しようとする課題】
【０００４】
ところで、近年では、ＡＣアダプタを制御してその出力電圧を制御するという要望がある。図３に示す従来例では、パルス幅変調器１７及びそのパルス幅変調器１７により制御されるトランジスタＴ１，Ｔ２等が入力電力アダプタに内蔵されることになる。そして、電子機器に搭載された抵抗Ｒ１，Ｒ２、増幅器１３ａ，１３ｂ，１４ａ〜１４ｃ、及び乗算器１５により生成される制御電流Ｉscが、電子機器から入力電力アダプタに供給されることにより、該電子機器に供給する電力が制御される。
【０００５】
この場合、乗算器１５に必要な電力情報は、入力電力アダプタに搭載されたパルス幅変調器１７からケーブルを介して電子機器に搭載されたエラー増幅器１４ｄに供給され、エラー増幅器１４ｄは、乗算器１５のから出力される電力検出信号ＰＷＲＯと電力制限信号ＰＷＲＭとの差を増幅した誤差電圧を生成する。ケーブルは抵抗分（寄生抵抗）を有しており、その寄生抵抗によってグランドレベルがオフセットされる。電力情報は電圧で供給されるため、乗算器１５は、オフセット分下がった電圧として受け取る。つまり、電力情報が誤って伝達されることになり、電子機器に搭載された回路は、この誤って伝達された電力情報に基づいて制御電流Ｉscを生成する。この結果、供給される電力に対して誤差を含む誤差電圧がエラー増幅器１４ｄから出力され、ひいては誤差を含む制御電流Ｉscが生成されることになり、必要とするアダプタ電圧ＶACが供給されないといった問題がある。
【０００６】
本発明は上記問題点を解決するためになされたものであって、その目的は、供給される電力に応じた制御信号を生成することが可能な検出回路及び電源システムを提供することにある。
【課題を解決するための手段】
【０００７】
上記目的を達成するため、請求項１に記載の発明は、直流の出力電圧と供給する電力量に応じた電力情報を出力する外部電源にケーブルを介して接続された電子機器に設けられ、前記電力情報と、前記外部電源の出力電圧が供給される経路上に設けられた抵抗の端子間電圧及び端子電圧から検出した総電力量とに基づいて前記制御信号を生成する検出回路であって、前記ケーブルの寄生抵抗に応じた補正電圧を発生する補正電圧発生手段と、前記電力情報と前記補正電圧とに基づいて補正電力情報を生成する情報生成手段と、前記外部電源の出力電圧が供給される経路上に設けられた抵抗の端子間電圧及び端子電圧に基づいて該電子機器における総電力量に応じた電力検出信号を生成する検出信号生成手段と、前記電力検出信号と前記補正電力情報とに基づいて前記制御信号を生成する制御信号生成手段と、を備えた。
【０００８】
この構成によれば、ケーブルの寄生抵抗により変化する電力情報を、寄生抵抗に応じた補正電圧を発生させてその補正電圧により補正した補正電力情報により供給される電力に応じた制御信号を生成することができる。
【０００９】
請求項２に記載の発明は、請求項１記載の検出回路において、前記補正電圧発生手段は、前記抵抗に流れる入力電流に比例する補正電流を発生する補正電流発生回路と、前記ケーブルの寄生抵抗に比例した抵抗値を有し、前記補正電流により前記補正電圧を発生する抵抗素子と、を備え、前記情報生成手段は、前記電力情報に前記補正電圧を加算して前記補正電力情報を生成するようにした。
【００１０】
この構成によれば、前記抵抗に流れる入力電流に比例する補正電流を発生させ、その補正電流を抵抗素子に流すことで、ケーブルの寄生抵抗に応じた補正電圧を生成することができ、その補正電圧により補正した補正電力情報により供給される電力に応じた制御信号を生成することができる。
【００１１】
請求項３に記載の発明は、請求項２記載の検出回路において、前記抵抗の端子間電圧に基づいて該抵抗に流れる電流量に応じた電流検出信号を生成する電流増幅器を備え、前記信号生成手段は、前記電力検出信号又は前記電流検出信号に基づいて前記制御信号を生成し、前記補正電流発生回路は、前記電流検出信号に基づいて前記補正電流を生成するようにした。
【００１２】
この構成によれば、入力電流と総電力量により制御信号を生成して出力電圧を制御することができる。更に、制御信号を生成するための電流検出信号を用いることで、回路の追加が少なく、補正電圧を生成することができる。
【００１３】
請求項４に記載の発明は、請求項１記載の検出回路において、前記抵抗の端子間電圧に基づいて該抵抗に流れる電流量に応じた電流検出信号を生成する電流増幅器を備え、前記信号生成手段は、前記電力検出信号又は前記電流検出信号に基づいて前記制御信号を生成し、前記補正電圧発生手段は、前記電流検出信号に基づいて前記補正電圧を生成し、前記情報生成手段は、前記電力情報に前記補正電圧を加算して前記補正電力情報を生成するようにした。
【００１４】
この構成によれば、入力電流と総電力量により制御信号を生成して出力電圧を制御することができる。更に、制御信号を生成するための電流検出信号を用いることで、回路の追加が少なく、補正電圧を生成することができる。
【００１５】
請求項５に記載の発明は、直流の出力電圧を生成する外部電源と、ケーブルを介して供給される前記外部電源の出力電圧に基づいて動作する電子機器とからなる電源システムにおいて、前記外部電源は、直流の出力電圧を生成するとともに制御信号に応じて前記出力電圧を変更し、出力電力に応じた電力情報を前記ケーブルを介して前記電子機器に出力する電圧制御回路を備え、前記電子機器は、前記外部電源の出力電圧が供給される経路上に設けられた抵抗の端子間電圧及び端子電圧に基づいて該電子機器における総電力量を検出し、該総電力量に基づいて前記制御信号を生成する検出回路を備え、前記検出回路は、前記ケーブルの寄生抵抗に応じた補正電圧を発生する補正電圧発生手段と、前記電力情報と前記補正電圧とに基づいて補正電力情報を生成する情報生成手段と、前記外部電源の出力電圧が供給される経路上に設けられた抵抗の端子間電圧及び端子電圧に基づいて該電子機器における総電力量に応じた電力検出信号を生成する検出信号生成手段と、前記電力検出信号と前記補正電力情報とに基づいて前記制御信号を生成する制御信号生成手段と、を備えた。
【００１６】
この構成によれば、ケーブルの寄生抵抗により変化する電力情報を、寄生抵抗に応じた補正電圧を発生させてその補正電圧により補正した補正電力情報により供給される電力に応じた制御信号を生成することができる。
【００１７】
請求項６に記載の発明は、請求項５記載の電源システムにおいて、前記補正電圧発生手段は、前記抵抗に流れる入力電流に比例する補正電流を発生する補正電流発生回路と、前記ケーブルの寄生抵抗に比例した抵抗値を有し、前記補正電流により前記補正電圧を発生する抵抗素子と、を備え、前記情報生成手段は、前記電力情報に前記補正電圧を加算して前記補正電力情報を生成するようにした。
【００１８】
この構成によれば、前記抵抗に流れる入力電流に比例する補正電流を発生させ、その補正電流を抵抗素子に流すことで、ケーブルの寄生抵抗に応じた補正電圧を生成することができ、その補正電圧により補正した補正電力情報により供給される電力に応じた制御信号を生成することができる。
【００１９】
請求項７に記載の発明は、請求項６記載の電源システムにおいて、前記抵抗の端子間電圧に基づいて該抵抗に流れる電流量に応じた電流検出信号を生成する電流増幅器を備え、前記信号生成手段は、前記電力検出信号又は前記電流検出信号に基づいて前記制御信号を生成し、前記補正電流発生回路は、前記電流検出信号に基づいて前記補正電流を生成するようにした。
【００２０】
この構成によれば、入力電流と総電力量により制御信号を生成して出力電圧を制御することができる。更に、制御信号を生成するための電流検出信号を用いることで、回路の追加が少なく、補正電圧を生成することができる。
【００２１】
請求項８に記載の発明は、請求項５記載の電源システムにおいて、前記抵抗の端子間電圧に基づいて該抵抗に流れる電流量に応じた電流検出信号を生成する電流増幅器を備え、前記信号生成手段は、前記電力検出信号又は前記電流検出信号に基づいて前記制御信号を生成し、前記補正電圧発生手段は、前記電流検出信号に基づいて前記補正電圧を生成し、前記情報生成手段は、前記電力情報に前記補正電圧を加算して前記補正電力情報を生成するようにした。
【００２２】
この構成によれば、入力電流と総電力量により制御信号を生成して出力電圧を制御することができる。更に、制御信号を生成するための電流検出信号を用いることで、回路の追加が少なく、補正電圧を生成することができる。
【発明の効果】
【００２３】
本発明によれば、供給される電力に応じた制御信号を生成することが可能な検出回路及び電源システムを提供することができる。
【発明を実施するための最良の形態】
【００２４】
以下、本発明を具体化した第一実施形態を図１，図２に従って説明する。
図１に示すように、電源システムは、外部電源としてのＡＣアダプタ２１と、そのＡＣアダプタ２１にケーブルＷ１を介して接続された電子機器３１とから構成されている。ＡＣアダプタ２１は、電子機器３１の付属品として供給される。本実施形態において、ケーブルＷ１は、ＡＣアダプタ２１に対してピグテール状に第１端が固定され、ケーブルＷ１の第２端には電子機器３１のコネクタに接続されるプラグが設けられている。
【００２５】
ＡＣアダプタ２１は、交流電源ＡＣに接続され、該交流電源ＡＣから供給される商用交流電圧は、ＡＣアダプタ２１の電圧変換回路２２に入力される。電圧変換回路２２は、交流電圧を交流−直流変換して生成した直流電圧を出力する。電圧制御回路２３には、ケーブルＷ１を介して電子機器３１から制御電流Ｉscが入力される。電圧制御回路２３は、その制御電流Ｉscに基づいて、直流電圧から制御したアダプタ電圧ＶACを生成する。このアダプタ電圧ＶACは、ケーブルＷ１を介して電子機器３１に供給される。また、電圧制御回路２３は、ＡＣアダプタ２１が供給する電力の情報（電力情報）に応じたパワー情報電圧Ｖpwを、ケーブルＷ１を介して電子機器３１に供給する。
【００２６】
アダプタ電圧ＶACは、抵抗Ｒ１を介してシステムＤＣ／ＤＣコンバータ３２に供給される。システムＤＣ／ＤＣコンバータ３２には、抵抗Ｒ２を介して二次電池（バッテリ）ＢＴが接続されている。システムＤＣ／ＤＣコンバータ３２は、アダプタ電圧ＶACとバッテリから供給されるバッテリ電圧とに基づいて、入力電圧を電圧変換して生成したシステム電圧Ｖｓをシステム回路３３に供給する。従って、システム回路３３には、ＡＣアダプタ２１から供給される電力と、バッテリＢＴから供給される電力とのうちの少なくとも一方による電力が供給される。システム回路３３は、電子機器３１の各種機能を提供する回路である。
【００２７】
抵抗Ｒ１及び抵抗Ｒ２はバッテリ検出回路３４に接続されている。バッテリ検出回路３４は、抵抗Ｒ１の両端子に接続されるとともに、抵抗Ｒ２とバッテリＢＴとの間に接続されている。バッテリ検出回路３４は、抵抗Ｒ１の両端子間の電位差に基づいて、該抵抗Ｒ１に流れる電流Ｉｏｕｔを検出する。更に、バッテリ検出回路３４は、抵抗Ｒ１の両端子間の電位差、抵抗Ｒ１の端子電圧、及びパワー情報電圧Ｖpwに基づいて、総出力電力を検出する。また、バッテリ検出回路３４は、抵抗Ｒ２の両端子間の電位差に基づいて、該抵抗Ｒ２に流れる電流Ｉｃｈｇを検出する。更に、バッテリ検出回路３４は、システムＤＣ／ＤＣコンバータ３２に供給される電圧（又はアダプタ電圧ＶＡＣ）とバッテリＢＴの端子電圧を検出する。そして、バッテリ検出回路３４は、検出した電流，電圧，総出力電力に基づいて、制御電流Ｉscを生成する。この制御電流Ｉscは、ケーブルＷ１を介してＡＣアダプタ２１の電圧制御回路２３に供給される。従って、ＡＣアダプタ２１の電圧制御回路２３は、バッテリ検出回路３４から出力される制御電流Ｉscに応じて、アダプタ電圧ＶACを制御する。
【００２８】
次に、ＡＣアダプタ２１の構成例を説明する。図２に示すように、電圧変換回路２２の出力端子は第１トランジスタＴ１１の第１端子（例えばソース）に接続され、第１トランジスタＴ１１の第２端子（例えばドレイン）はチョークコイルＬ１の第１端子に接続され、チョークコイルＬ１の第２端子は第１端子Ｐ１に接続されている。また、第１トランジスタＴ１１の第２端子は第２トランジスタＴ１２の第１端子（例えばドレイン）に接続され、その第２トランジスタＴ１２の第２端子（例えばソース）はグランドに接続されている。第１トランジスタＴ１１の制御端子（ゲート）と第２トランジスタＴ１２の制御端子（ゲート）はパルス幅変調器（ＰＷＭ）２４に接続されている。本実施形態において、第１トランジスタＴ１１はＰチャネルＭＯＳトランジスタであり、第２トランジスタＴ１２はＮチャネルＭＯＳトランジスタである。尚、図には、各トランジスタＴ１１，Ｔ１２のボディダイオードを示している。
【００２９】
上記チョークコイルＬ１の第１端子はダイオードＤ１のカソードに接続され、ダイオードＤ１のアノードはグランドに接続されている。第１端子Ｐ１は平滑用のコンデンサＣ１の第１端子に接続され、コンデンサＣ１の第２端子はグランドに接続されている。第２端子Ｐ２はグランドに接続され、第３端子Ｐ３はパルス幅変調器（ＰＷＭ）２４に接続されている。各端子Ｐ１〜Ｐ３は、ケーブルＷ１を介して電子機器の端子Ｐ１１〜Ｐ１３と接続されている。
【００３０】
パルス幅変調器２４には、第３端子Ｐ３を介して制御電流Ｉscが入力されている。パルス幅変調器２４は、第３端子Ｐ３を介してパワー情報電圧Ｖpwを出力する。パルス幅変調器（ＰＷＭ）２４は、所定のデューティサイクルにて第１トランジスタＴ１１と第２トランジスタＴ１２とを相補的にオンオフ制御する。第１トランジスタＴ１１のスイッチング動作により、そのトランジスタＴ１１の出力電流は、チョークコイルＬ１及びコンデンサＣ１により平滑される。ここで、第１トランジスタＴ１１のオン時には、電圧変換回路２２の出力電圧が該トランジスタＴ１１を介してＬＣ回路（チョークコイルＬ１とコンデンサＣ１とからなる平滑回路）に供給される。第１トランジスタＴ１１がオフされると、ダイオードＤ１を介して電流経路が形成される。このとき、第１トランジスタＴ１１のオン時にチョークコイルＬ１に蓄積されたエネルギーが第１端子Ｐ１側へ放出される。
【００３１】
更に、パルス幅変調器２４は、制御電流Ｉscに応答してデューティサイクルを変更する。詳しくは、パルス幅変調器２４は、制御電流Ｉscの電流値に応じて第１トランジスタＴ１１をオンする期間を変化させるように、デューティサイクルを変更する。ＡＣアダプタ２１から出力されるアダプタ電圧ＶＡＣは、第１トランジスタＴ１１のオン期間に対応する。第１トランジスタＴ１１のオン期間が長いと、チョークコイルＬ１に蓄積されるエネルギーが多くなって高いアダプタ電圧ＶＡＣが出力され、第１トランジスタＴ１１のオン期間が短いと、チョークコイルＬ１に蓄積されるエネルギーが少なくなって低いアダプタ電圧ＶＡＣが出力される。
【００３２】
従って、ＡＣアダプタ２１は、制御電流Ｉscに応じてアダプタ電圧ＶＡＣを変更する。そして、制御電流Ｉscが供給されていないとき、ＡＣアダプタ２１は、例えば最低電圧のアダプタ電圧ＶＡＣを出力する。この場合、交流電源ＡＣに接続したＡＣアダプタ２１を電子機器３１に接続した場合、制御電流Ｉscが０（ゼロ）であるため、最低電圧のアダプタ電圧ＶＡＣを電子機器３１に供給する。このため、電子機器３１に搭載されたバッテリＢＴに対して大きな突入電流が流れるのを防ぐことができる。
【００３３】
次に、電子機器３１に搭載されたバッテリ検出回路３４の構成を説明する。
ＡＣアダプタ２１により生成されたアダプタ電圧ＶＡＣは、電子機器３１の第１端子Ｐ１１を介して抵抗Ｒ１に供給される。ＡＣアダプタ２１のパルス幅変調器２４から出力されたパワー情報電圧Ｖpwは、第３端子Ｐ１３を介してバッテリ検出回路３４に入力される。
【００３４】
電子機器３１の抵抗Ｒ１には、ＡＣアダプタ２１から供給される電流Ｉout が流れる。この抵抗Ｒ１の両端子はバッテリ検出回路３４の電流増幅器４１の入力端子に接続されている。電流増幅器４１は、抵抗Ｒ１に流れる電流Ｉout 、つまりＡＣアダプタ２１の出力電流を検出し、その検出結果に応じた電流検出信号Ｓ１をエラー増幅器４２に出力する。エラー増幅器４２は、反転入力端子に電流検出信号Ｓ１が入力され、非反転入力端子に電流基準信号ＩOUTMが入力されている。電流基準信号ＩOUTMは、電子機器３１において使用される総電流量に応じて設定されている。エラー増幅器４２は、電流検出信号Ｓ１と電流基準信号ＩOUTMとを比較し、その比較結果に応じた誤差電圧を発生する。
【００３５】
バッテリＢＴに接続された抵抗Ｒ２の両端子は、電流増幅器４３の入力端子に接続されている。電流増幅器４３は、抵抗Ｒ２に流れる電流Ｉchg 、つまりバッテリＢＴに対する充電電流Ｉchg を検出し、その電流量に応じた充電電流検出信号Ｓ２をエラー増幅器４４に出力する。エラー増幅器４４は、非反転入力端子にバッテリＢＴの充電電流に応じて設定された電圧値の制限電流信号ＩDAC が入力され、反転入力端子に充電電流検出信号Ｓ２が入力される。エラー増幅器４４は、充電電流検出信号Ｓ２の電圧と制限電流信号ＩDAC の電圧との差を増幅した誤差電圧を発生する。
【００３６】
抵抗Ｒ２とバッテリＢＴとの間の接続点は、エラー増幅器４５の反転入力端子に接続されている。そのエラー増幅器４５の非反転入力端子には、電圧制限信号ＶDAC が入力される。エラー増幅器４５は、バッテリＢＴの端子電圧と電圧制限信号ＶDAC との差を増幅した誤差電圧を発生する。
【００３７】
上記抵抗Ｒ１の両端子は、検出信号生成手段としての乗算器４６に接続されている。乗算器４６は、抵抗Ｒ１の端子電圧、即ちアダプタ電圧ＶＡＣを検出するとともに、抵抗Ｒ１の両端子間電圧により総電流量を検出し、その検出結果に応じた電力検出信号ＰＷＲＯを制御信号生成手段としてのエラー増幅器４７に出力する。そのエラー増幅器４７には情報生成手段としての演算回路４８が接続されている。演算回路４８には、ＡＣアダプタ２１から供給されるパワー情報電圧Ｖpwが入力される。また、演算回路４８は、補正電圧発生手段としての補正電流発生回路４９と補正用の抵抗Ｒ３との間のノードに接続され、該ノードにおける電圧を補正電圧Ｖh として入力する。本実施形態における演算回路４８は加算回路であり、パワー情報電圧Ｖpwに補正電圧Ｖh を加算し、加算後の補正情報電圧Ｖphを電力制限信号ＰＷＲＭとしてエラー増幅器４７に出力する。
【００３８】
上記補正用の抵抗Ｒ３の抵抗値は、ケーブルＷ１の寄生抵抗に比例した値に設定されている。そして、補正用の抵抗Ｒ３は、バッテリ検出回路３４が搭載された半導体装置に対する外付け電子部品として接続されている。補正電流発生回路４９には、電流検出信号Ｓ１が入力されている。補正電流発生回路４９は、電流検出信号Ｓ１に基づいて、ＡＣアダプタ２１から供給される電流に比例する補正電流Ｉh を発生させる。その補正電流Ｉh は補正用抵抗Ｒ３に供給される。これにより、補正電流発生回路４９と補正用抵抗Ｒ３との間のノードに、ケーブルＷ１の寄生抵抗によりオフセットされるグランドレベルと略等しい補正電圧Ｖh を発生させる。上記したように、演算回路４８は、パワー情報電圧Ｖpwに補正電圧Ｖh を加算して生成した補正情報電圧Ｖphを電力制限信号ＰＷＲＭとしてエラー増幅器４７に出力する。
【００３９】
演算回路４８に入力されるパワー情報電圧Ｖpwは、ケーブルＷ１の寄生抵抗によりグランドレベルがオフセットすることにより、パルス幅変調器２４が出力する電力情報よりも低い値を示す。例えば、パルス幅変調器２４が５０ワット（Ｗ）の電力情報を出力しても、ケーブルＷ１の寄生抵抗によって、演算回路４８は４０ワット（Ｗ）の電力情報として受け取る。補正電流発生回路４９及び補正用抵抗Ｒ３は、電流検出信号Ｓ１に基づいて、１０ワット（Ｗ）に相当する補正電圧Ｖh を発生させる。演算回路４８は、オフセットによって小さな電力情報を示すパワー情報電圧Ｖpwに補正電圧Ｖh を加算することで、パルス幅変調器２４が出力する電力情報に相当する補正情報電圧Ｖphを生成する。
【００４０】
そして、乗算器４６はアダプタ電圧ＶＡＣと総電流量とを乗算した結果、即ち総電力量に応じた電力検出信号ＰＷＲＯをエラー増幅器４７に出力する。エラー増幅器４７は、演算回路４８から入力される電力制限信号ＰＷＲＭと電力検出信号ＰＷＲＯとの差を増幅した誤差電圧を発生する。この時、演算回路４８は、パルス幅変調器２４が出力する電力情報の電圧と実質的に等しい補正情報電圧Ｖphを電力制限信号ＰＷＲＭとして出力している。従って、エラー増幅器４７は、パルス幅変調器２４が出力する電力情報と、抵抗Ｒ１における総電力量に対応する電力検出信号ＰＷＲＯとの差を増幅した誤差電圧を発生する。
【００４１】
エラー増幅器４２，４４，４５，４７の出力端子にはダイオードＤ１１，Ｄ１２，Ｄ１３，Ｄ１４のカソードがそれぞれ接続されている。ダイオードＤ１１〜Ｄ１４のアノードは共通接続されるとともに、制御信号生成手段としての電流電圧変換回路５０に接続されている。ダイオードＤ１１〜Ｄ１４は、各エラー増幅器４２，４４，４５，４７の出力電圧のうち、最も大きな電圧に依存した電流（誤差電流）を電流電圧変換回路５０に伝達する。これは、各検出値のうち、最も大きなエラー（誤差）の検出値である。
【００４２】
電流電圧変換回路５０の出力端子には、定電流源を構成するトランジスタＴ２１の制御端子（ゲート）が接続されている。電流電圧変換回路５０は、電流量に比例した電圧値の信号を制御信号生成手段としてのトランジスタＴ２１のゲートに供給する。このトランジスタＴ２１は、本実施形態ではＰチャネルＭＯＳトランジスタであり、ソースにアダプタ電圧ＶＡＣが供給され、ドレインが第３端子Ｐ１３に接続されている。電子機器３１の第２端子Ｐ１２はグランドに接続されている。
【００４３】
トランジスタＴ２１は、ゲートに供給される電圧に応じた抵抗体として動作し、その抵抗値に応じた制御電流Ｉscを流す。上記したように、トランジスタＴ２１はＰチャネルＭＯＳトランジスタであるため、高いゲート電圧では抵抗値が大きく、低いゲート電圧では抵抗値が小さい。従って、電流電圧変換回路５０の出力電圧が高い、つまり、検出結果においてエラー（誤差）が大きい場合、トランジスタＴ２１は少ない制御電流Ｉscを流し、電流電圧変換回路５０の出力電圧が低い、つまり検出結果においてエラー（誤差）が小さい場合、トランジスタＴ２１は大きな制御電流Ｉscを流すように動作する。
【００４４】
バッテリＢＴが搭載されていない場合、エラー増幅器４５に入力される端子電圧は０（ゼロ）である。また、エラー増幅器４４によって検出される充電電流は０である。従って、エラー（誤差）が大きく、電流電圧変換回路５０の入力電流が大きい。この時、トランジスタＴ２１は少ない制御電流Ｉscを流すため、ＡＣアダプタ２１の電圧制御回路２３は、低いアダプタ電圧ＶＡＣを出力する。この状態でバッテリＢＴを装着した場合、バッテリＢＴの端子電圧と、ＡＣアダプタ２１から供給されるアダプタ電圧ＶＡＣとの差が少なくなり、バッテリＢＴに対する突入電流が抑制される。
【００４５】
上記のように構成された電源システムにおいて、動作停止時等のように動作電源電圧が低下した場合、バッテリ検出回路３４は、制御電流Ｉscを少なくするように動作するため、ＡＣアダプタ２１は低いアダプタ電圧ＶＡＣを発生させる。従って、バッテリ検出回路３４において、動作的に電源電圧に余裕が生まれ、動作条件を緩和する。更に、ＡＣアダプタ２１は低いアダプタ電圧ＶＡＣを供給するため、低い入力電圧において電子機器３１が動作を停止することになり、低電圧時に高いアダプタ電圧ＶＡＣが供給されて回路に損傷を起こすことを防ぐことができる。
【００４６】
以上記述したように、本実施形態によれば、以下の効果を奏する。
（１）補正電流発生回路４９は、電流検出信号Ｓ１に基づいて、ＡＣアダプタ２１から供給される電流に比例する補正電流Ｉh を発生させる。その補正電流Ｉh は補正用抵抗Ｒ３に供給される。これにより、補正電流発生回路４９と補正用抵抗Ｒ３との間のノードに、ケーブルＷ１の寄生抵抗によりオフセットされるグランドレベルと略等しい補正電圧Ｖh を発生させる。演算回路４８は、パワー情報電圧Ｖpwに補正電圧Ｖh を加算して生成した補正情報電圧Ｖphを電力制限信号ＰＷＲＭとしてエラー増幅器４７に出力する。つまり、演算回路４８は、オフセットによって小さな電力情報を示すパワー情報電圧Ｖpwに補正電圧Ｖh を加算し、補正した電力制限信号ＰＷＲＭを生成する。その結果、パルス幅変調器２４が出力する電力情報に相当する電力制限信号ＰＷＲＭを生成することができる。そして、この電力制限信号ＰＷＲＭがパルス幅変調器２４が出力する電力情報に対応しているため、エラー増幅器４７が生成する誤差電圧もその電力情報に対応しているため誤差が含まれない。その結果、ケーブルＷ１の寄生抵抗による誤差が含まれない制御電流Ｉscを生成することができる。
【００４７】
（２）ＡＣアダプタ２１は、制御電流Ｉscに応じてアダプタ電圧ＶＡＣを変更する。そして、制御電流Ｉscが供給されていないとき、ＡＣアダプタ２１は、最低電圧のアダプタ電圧ＶＡＣを出力する。このため、交流電源ＡＣに接続したＡＣアダプタ２１を電子機器３１に接続した場合、制御電流Ｉscが０（ゼロ）であるため、最低電圧のアダプタ電圧ＶＡＣを電子機器３１に供給する。このため、電子機器３１に搭載されたバッテリＢＴに対して大きな突入電流が流れるのを防ぐことができる。
【００４８】
（３）バッテリＢＴが搭載されていない場合、エラー増幅器４５に入力される端子電圧は０（ゼロ）である。また、エラー増幅器４４によって検出される充電電流は０である。従って、エラー（誤差）が大きく、電流電圧変換回路５０の入力電流が大きい。この時、トランジスタＴ２１は少ない制御電流Ｉscを流すため、ＡＣアダプタ２１の電圧制御回路２３は、低いアダプタ電圧ＶＡＣを出力する。この状態で、バッテリＢＴを装着した場合、バッテリＢＴの端子電圧と、ＡＣアダプタ２１から供給されるアダプタ電圧ＶＡＣとの差が少なくなり、バッテリＢＴに対する突入電流を抑制することができる。
【００４９】
（４）動作停止時等のように動作電源電圧が低下した場合、バッテリ検出回路３４は、制御電流Ｉscを少なくするように動作するため、ＡＣアダプタ２１は低いアダプタ電圧ＶＡＣを発生させる。従って、バッテリ検出回路３４において、動作的に電源電圧に余裕が生まれ、動作条件を緩和する。更に、ＡＣアダプタ２１は低いアダプタ電圧ＶＡＣを供給するため、低い入力電圧において電子機器３１が動作を停止することになり、低電圧時に高いアダプタ電圧ＶＡＣが供給されて回路に損傷を起こすことを防ぐことができる。
【００５０】
尚、上記実施の形態は、以下の態様で実施してもよい。
・上記実施の形態では、抵抗素子としての補正用の抵抗Ｒ３を、バッテリ検出回路３４が搭載された半導体装置（チップ）に対して外付けするようにしたが、バッテリ検出回路３４が搭載されたチップ上に形成してもよい。また、複数の補正用抵抗を備え、ケーブルＷ１の寄生抵抗に応じて選択するようにしてもよい。この場合、ポリシリコン等により抵抗を形成する、抵抗としてゲート電圧が制御されたＭＯＳトランジスタを形成する、等、適宜実施してもよい。抵抗素子としてＭＯＳトランジスタを形成した場合、そのゲート電圧を寄生抵抗、即ちケーブルＷ１の寄生抵抗に応じて制御するようにしてもよい。
【００５１】
・上記実施の形態では、補正用の抵抗Ｒ３を用いて補正電圧Ｖh を生成するようにしたが、出力電流Ｉout を検出する電流増幅器４１から出力される電流検出信号Ｓ１のレベルを調整して補正電圧Ｖh としてもよい。更に、レベル調整のゲインを変更することで、ケーブルＷ１の寄生抵抗に応じた補正電圧Ｖh を発生させるようにしてもよい。
【００５２】
・上記実施の形態では、ケーブルＷ１の端部をＡＣアダプタ２１に固定したが、ケーブルの両端にそれぞれコネクタを設け、ＡＣアダプタと電子機器とに接続するようにしてもよい。
【００５３】
・上記実施の形態では、電子機器３１のバッテリ検出回路３４からＡＣアダプタ２１に制御電流Ｉscを供給し、ＡＣアダプタ２１の電圧制御回路２３は、制御電流Ｉscがゼロの場合にアダプタ電圧ＶＡＣを最低電圧とするようにしたが、バッテリ検出回路において、ＡＣアダプタから制御電流Ｉscを流し込むようにしてもよい。
【００５４】
・上記各実施の形態では、制御電流Ｉscに対してアダプタ電圧ＶＡＣを比例的に制御するようにしたが、制御電流Ｉscとアダプタ電圧ＶＡＣとの関係は、適宜変更されてもよい。
【００５５】
・上記各実施の形態では、制御信号に制御電流を用いていたが、出力電圧を制御信号として用いてもよい。
・上記各実施の形態において、ＡＣアダプタと電子機器の回路の組合せは、これらに限定されない。また、ＡＣアダプタと電子機器の回路構成は、上記各実施の形態に限定されない。
【図面の簡単な説明】
【００５６】
【図１】一実施形態の電源システムのブロック図である。
【図２】一実施形態の電源システムの回路図である。
【図３】従来の電源システムの回路図である。
【符号の説明】
【００５７】
２１  ＡＣアダプタ
２３  電圧制御回路
３１  電子機器
３４  バッテリ検出回路
４１  電流増幅器
４２  エラー増幅器
４６  乗算器
４７  エラー増幅器
４８  演算回路
４９  補正電流発生回路
Ｉh   補正電流
Ｒ１〜Ｒ３  抵抗
Ｓ１  電流検出信号
Ｖpw  パワー情報電圧
Ｖh   補正電圧
Ｖph  補正情報電圧
ＰＷＲＯ  検出信号
Ｗ１  ケーブル
【図１】
2008206226.tif 000003
【図２】
2008206226.tif 000004
【図３】
2008206226.tif 000005